(57)【要約】【課題】コモンコントロールノードを具えた駆動モジュールの提供。【解決手段】本発明はコモンコントロールノードを具えた駆動モジュールであり、それは、複数の出力ユニット、順方向入力ユニットと逆方向入力ユニットを包含し、これら出力ユニットは併さって一つのコントロールノードに接続され、これによりこれら出力ユニットが該コントロールノードを共用する。順方向入力ユニットがコントロールノードに対して充電する時、これら出力ユニットはコントロールノードの充電により、順に順方向走査信号を出力し、逆方向入力ユニットがコントロールノードに対して充電する時、これら出力ユニットはコントロールノードの充電により順に逆方向走査信号を出力する。こうして本発明は共用のコントロールノードにより複数の出力ユニットを制御して順方向走査信号或いは逆方向走査信号を出力させ、これにより駆動モジュールが使用する回路面積を節約する。【選択図】図１Ｂ
2014137591.tif 000002
【特許請求の範囲】
【請求項１】
コモンコントロールノードを具えた駆動モジュールにおいて、それは順に複数の走査信号を生成し並びに表示パネルに順に出力し、該駆動モジュールは複数のクロック信号を受け取り並びにそれぞれ第１入力電圧と第２入力電圧を受け取り、該駆動モジュールは、
複数の出力ユニットであって、それは併せられて一つのコントロールノードに接続され、並びにこれらクロック信号を受け取る、上記複数の出力ユニットと、
順方向入力ユニットであって、該コントロールノードに接続され、並びに該第１入力電圧と任意の一つのｎ−１クラス以上駆動モジュールの出力ユニットの前順方向走査信号を受け取り、該順方向入力ユニットは該第１入力電圧と該前順方向走査信号に基づき該コントロールノードに対して充放電を行なう、上記順方向入力ユニットと、
逆方向入力ユニットであって、該コントロールノードに接続され、並びに該第２入力電圧と任意の一つのｎ＋１クラス以上駆動モジュールの出力ユニットの後逆方向走査信号を受け取り、該逆方向入力ユニットは該第２入力電圧と該後逆方向走査信号に基づき該コントロールノードに対する充放電を行う、上記逆方向入力ユニットと、
を包含し、そのうち、該順方向入力ユニットは該第１入力電圧と該前順方向走査信号に基づき該コントロールノードに対して充電し、それぞれこれらクロック信号と該コントロールノードが発生する複数の順方向走査信号に基づき並びに順に順方向出力し、該逆方向入力ユニットは該第２入力電圧と該後逆方向走査信号に基づき該コントロールノードに対して充電し、これらクロック信号と該コントロールノードが発生する複数の逆方向走査信号に基づき並びに順に逆方向に出力することを特徴とする、コモンコントロールノードを具えた駆動モジュール。
【請求項２】
請求項１記載のコモンコントロールノードを具えた駆動モジュールにおいて、さらに、  雑音除去ユニットであって、該順方向入力ユニット、該逆方向入力ユニット及び該出力ユニットに接続され、並びに第１クロック信号を受け取り、該雑音除去ユニットは該出力ユニットの該コントロールノードの雑音をフィルタリングし除去する、上記雑音除去ユニットと、を包含することを特徴とする、コモンコントロールノードを具えた駆動モジュール。
【請求項３】
請求項２記載のコモンコントロールノードを具えた駆動モジュールにおいて、該雑音除去ユニットは、
コントロールコンデンサであって、その第１端が該第１クロック信号を受け取り、該コントロールコンデンサは該第１クロック信号に基づきコントロール準位を生成する、上記コントロールコンデンサと、
第１トランジスタであって、その第１端は該コントロールコンデンサの第２端に接続され、該第１トランジスタの第２端は、該順方向入力ユニット、該逆方向入力ユニットと該コントロールノードに接続される、上記第１トランジスタと、
第２トランジスタであって、その第１端は該順方向入力ユニット、該逆方向入力ユニット及び該コントロールノードに接続され、該第２トランジスタの第２端は、該第１トランジスタの該第１端と該コントロールコンデンサの該第２端に接続され、該第１トランジスタの第３端は該第２トランジスタの第３端と、参考準位に接続される、上記第２トランジスタと、
を包含することを特徴とする、コモンコントロールノードを具えた駆動モジュール。
【請求項４】
請求項１記載のコモンコントロールノードを具えた駆動モジュールにおいて、これらクロック信号は、該第１クロック信号、第２クロック信号、第３クロック信号及び第４クロック信号を包含し、該第１クロック信号、該第２クロック信号、該第３クロック信号及び該第４クロック信号は順に且つ循環して該駆動モジュールに出力されることを特徴とする、コモンコントロールノードを具えた駆動モジュール。
【請求項５】
請求項１記載のコモンコントロールノードを具えた駆動モジュールにおいて、さらに、  複数の出力コンデンサであって、その第１端はそれぞれ該コントロールノードに接続され、これら出力コンデンサの第２端は、それぞれこれら出力ユニットの第３端に接続されることを特徴とする、コモンコントロールノードを具えた駆動モジュール。
【請求項６】
請求項１記載のコモンコントロールノードを具えた駆動モジュールにおいて、該順方向入力ユニットが該第１入力電圧と該前順方向走査信号に基づき該コントロールノードに対して充電する時、該順方向入力ユニットは該出力ユニットがこれら逆方向走査信号のそのうち一つを発生した後、該コントロールノードに対して放電することを特徴とする、コモンコントロールノードを具えた駆動モジュール。
【請求項７】
請求項１記載のコモンコントロールノードを具えた駆動モジュールにおいて、該逆方向入力ユニットが該第２入力電圧と該後逆方向走査信号に基づき該コントロールノードに対して充電する時、該順方向入力ユニットは該出力ユニットがこれら逆方向走査信号のそのうち一つを発生した後、該コントロールノードに対して放電することを特徴とする、コモンコントロールノードを具えた駆動モジュール。
【請求項８】
請求項１記載のコモンコントロールノードを具えた駆動モジュールにおいて、これら出力ユニットは複数のトランジスタとされ、これらトランジスタの第１端は該コントロールノードに接続され、これらトランジスタの第２端がこれらクロック信号を受け取り、これらトランジスタの第３端がこれら走査信号を出力することを特徴とする、コモンコントロールノードを具えた駆動モジュール。
【発明の詳細な説明】
【技術分野】
【０００１】
本発明は、一種の駆動回路に係り、特に一種の、コモンコントロールノードを具えた駆動モジュールに関する。
【背景技術】
【０００２】
現代のテクノロジーの勃興発展に伴い、各種情報商品が次々に出現し、大衆の異なる要求を満足させている。液晶表示装置（Ｌｉｑｕｉｄ  Ｃｒｙｓｔａｌ  Ｄｉｓｐｌａｙ，ＬＣＤ）は軽量薄型でコンパクトであり、輻射量が少なく消費電力が少ない等の長所を有し、伝統的な表示装置は体積が大きく、消費電力が大きく輻射量が多いため、現在市場の表示装置は伝統的な表示装置から次第に液晶表示装置へと代わり、これにより、液晶表示装置は現在表示装置市場の主流となっている。
【０００３】
どのタイプの液晶表示装置であっても、液晶パネルの駆動のためには、いずれも駆動回路の設置が必要であり、薄膜トランジスタ（Ｔｈｉｎ−Ｆｉｌｍ  Ｔｒａｎｓｉｓｔｏｒ，ＴＦＴ）パネル上では、双方向走査駆動回路が画素構造のＴＦＴがデータ駆動回路より提供されたデータ信号を受け取るか否かの制御に用いられ、これにより、画素構造の画素電極にデータ信号に対応する電圧を具備させ、これにより、コモン電極と画素電極の間に電場を形成し、これにより、コモン電極と画素電極の間に位置する液晶を駆動して回転させ、それと同時に電場の強度変化により液晶の回転角度を調整し、双方向走査駆動回路は走査信号をＴＦＴのゲート電極に出力して、薄膜トランジスタを駆動するのに用いられ、これにより双方向走査駆動回路はまたゲート駆動回路と称される。
【０００４】
一般に伝統的な薄膜トランジスタ液晶ディスプレイ（ＴＦＴ−ＬＣＤ）パネルは、１枚の薄膜トランッジスタ（ＴＦＴ）パネルガラスを、一枚のカラーフィルタ（Ｃｏｌｏｒ
Ｆｉｌｔｅｒ）ガラスと貼り合わせてなり、これら２層のガラスの中間に、液晶分子が注入される。部品数を減らすと共に、製造コストを下げるために、近年、次第に、駆動回路構造が直接表示パネル上に製作されるようになり、たとえば、ゲート駆動回路（ｇａｔｅ  ｄｒｉｖｅｒ）を液晶パネルに整合する（ｇａｔｅ  ｏｎ  ａｒｒａｙ，ＧＯＡ）技術、すなわち、双方向走査駆動回路を液晶パネル上に整合するのは、新規の量産技術とされ、ＴＦＴパネルのガラスにあって薄膜トランジスタアレイ（Ａｒｒａｙ）工程の後、さらに続いてカラーフィルタの工程を実行し、且つパネルの画素開口率をアップし並びに有効にパネルの輝度をアップする。
【０００５】
こうして、双方向駆動回路は、スピーディーな反応に対する要求及び軽量薄型化設計の液晶パネルの要求の下で、双方向走査を支援し、回路部品の間の相互影響を低減する必要があり、並びに信号の間の干渉を低減する必要があり、これにより、双方向走査駆動回路はすでに、双方向走査の制御回路レイアウトを簡易化する必要を有する。
【０００６】
このほか、液晶表示装置のサイズは市場の要求に応えて日々増加し、液晶表示装置に設置される駆動回路が占用する回路面積もまた液晶表示装置のサイズの増加により増加する必要があり、このため、駆動回路の液晶表示装置の電気性能に対する影響がもたらされ、並びに液晶表示装置のフレームサイズに影響が生じる。
【０００７】
これを鑑み、本発明は一種のコモンコントロールノードを具えた駆動モジュールを提出し、それはコモンコントロールノードは出力ユニットを合併し、これにより駆動回路の使用面積を減らし、また、ＧＯＡ技術に応用可能で、駆動回路を薄型パネルに設置させ、また、双方向走査を支援できる。
【発明の概要】
【発明が解決しようとする課題】
【０００８】
本発明の目的は、一種のコモンコントロールノードを具えた駆動モジュールを提供することにあり、それは、駆動回路の使用面積を縮限するものとする。
【０００９】
本発明の目的は、一種のコモンコントロールノードを具えた駆動モジュールを提供することにあり、それは、双方向走査の走査信号を提供するものとする。
【００１０】
本発明の目的は、一種のコモンコントロールノードを具えた駆動モジュールを提供することにあり、それは複数のクロック信号を駆動回路に提供してトランジスタの操作時間を減らし、それによりパワー消耗を減らすものとする。
【課題を解決するための手段】
【００１１】
請求項１の発明は、コモンコントロールノードを具えた駆動モジュールにおいて、それは順に複数の走査信号を生成し並びに表示パネルに順に出力し、該駆動モジュールは複数のクロック信号を受け取り並びにそれぞれ第１入力電圧と第２入力電圧を受け取り、該駆動モジュールは、
複数の出力ユニットであって、それは併せられて一つのコントロールノードに接続され、並びにこれらクロック信号を受け取る、上記複数の出力ユニットと、
順方向入力ユニットであって、該コントロールノードに接続され、並びに該第１入力電圧と任意の一つのｎ−１クラス以上駆動モジュールの出力ユニットの前順方向走査信号を受け取り、該順方向入力ユニットは該第１入力電圧と該前順方向走査信号に基づき該コントロールノードに対して充放電を行なう、上記順方向入力ユニットと、
逆方向入力ユニットであって、該コントロールノードに接続され、並びに該第２入力電圧と任意の一つのｎ＋１クラス以上駆動モジュールの出力ユニットの後逆方向走査信号を受け取り、該逆方向入力ユニットは該第２入力電圧と該後逆方向走査信号に基づき該コントロールノードに対する充放電を行う、上記逆方向入力ユニットと、
を包含し、そのうち、該順方向入力ユニットは該第１入力電圧と該前順方向走査信号に基づき該コントロールノードに対して充電し、それぞれこれらクロック信号と該コントロールノードが発生する複数の順方向走査信号に基づき並びに順に順方向出力し、該逆方向入力ユニットは該第２入力電圧と該後逆方向走査信号に基づき該コントロールノードに対して充電し、これらクロック信号と該コントロールノードが発生する複数の逆方向走査信号に基づき並びに順に逆方向に出力することを特徴とする、コモンコントロールノードを具えた駆動モジュールとしている。
請求項２の発明は、請求項１記載のコモンコントロールノードを具えた駆動モジュールにおいて、さらに、
雑音除去ユニットであって、該順方向入力ユニット、該逆方向入力ユニット及び該出力ユニットに接続され、並びに第１クロック信号を受け取り、該雑音除去ユニットは該出力ユニットの該コントロールノードの雑音をフィルタリングし除去する、上記雑音除去ユニットと、を包含することを特徴とする、コモンコントロールノードを具えた駆動モジュールとしている。
請求項３の発明は、請求項２記載のコモンコントロールノードを具えた駆動モジュールにおいて、該雑音除去ユニットは、
コントロールコンデンサであって、その第１端が該第１クロック信号を受け取り、該コントロールコンデンサは該第１クロック信号に基づきコントロール準位を生成する、上記コントロールコンデンサと、
第１トランジスタであって、その第１端は該コントロールコンデンサの第２端に接続され、該第１トランジスタの第２端は、該順方向入力ユニット、該逆方向入力ユニットと該コントロールノードに接続される、上記第１トランジスタと、
第２トランジスタであって、その第１端は該順方向入力ユニット、該逆方向入力ユニット及び該コントロールノードに接続され、該第２トランジスタの第２端は、該第１トランジスタの該第１端と該コントロールコンデンサの該第２端に接続され、該第１トランジスタの第３端は該第２トランジスタの第３端と、参考準位に接続される、上記第２トランジスタと、
を包含することを特徴とする、コモンコントロールノードを具えた駆動モジュールとしている。
請求項４の発明は、請求項１記載のコモンコントロールノードを具えた駆動モジュールにおいて、これらクロック信号は、該第１クロック信号、第２クロック信号、第３クロック信号及び第４クロック信号を包含し、該第１クロック信号、該第２クロック信号、該第３クロック信号及び該第４クロック信号は順に且つ循環して該駆動モジュールに出力されることを特徴とする、コモンコントロールノードを具えた駆動モジュールとしている。
請求項５の発明は、請求項１記載のコモンコントロールノードを具えた駆動モジュールにおいて、さらに、
複数の出力コンデンサであって、その第１端はそれぞれ該コントロールノードに接続され、これら出力コンデンサの第２端は、それぞれこれら出力ユニットの第３端に接続されることを特徴とする、コモンコントロールノードを具えた駆動モジュールとしている。
請求項６の発明は、請求項１記載のコモンコントロールノードを具えた駆動モジュールにおいて、該順方向入力ユニットが該第１入力電圧と該前順方向走査信号に基づき該コントロールノードに対して充電する時、該順方向入力ユニットは該出力ユニットがこれら逆方向走査信号のそのうち一つを発生した後、該コントロールノードに対して放電することを特徴とする、コモンコントロールノードを具えた駆動モジュールとしている。
請求項７の発明は、請求項１記載のコモンコントロールノードを具えた駆動モジュールにおいて、該逆方向入力ユニットが該第２入力電圧と該後逆方向走査信号に基づき該コントロールノードに対して充電する時、該順方向入力ユニットは該出力ユニットがこれら逆方向走査信号のそのうち一つを発生した後、該コントロールノードに対して放電することを特徴とする、コモンコントロールノードを具えた駆動モジュールとしている。
請求項８の発明は、請求項１記載のコモンコントロールノードを具えた駆動モジュールにおいて、これら出力ユニットは複数のトランジスタとされ、これらトランジスタの第１端は該コントロールノードに接続され、これらトランジスタの第２端がこれらクロック信号を受け取り、これらトランジスタの第３端がこれら走査信号を出力することを特徴とする、コモンコントロールノードを具えた駆動モジュールとしている。
【発明の効果】
【００１２】
本発明は出力ユニットがコントロールノードを共用することで、各駆動モジュールがいずれも複数の走査信号を出力できるものとされ、こうして、駆動モジュールの使用面積を縮限できる。
【００１３】
総合すると、本発明は一種の、コモンコントロールノードを具えた駆動モジュールとされ、それは、順方向入力ユニットと逆方向入力ユニットがそれぞれ順方向走査モードと逆方向走査モード中に、コントロールノードに対して充放電し、順方向入力ユニットがコントロールノードに対して充電する時、複数の出力ユニットが順に複数の順方向走査信号を生成させられ、並びに逆方向入力ユニットがコントロールノードに対して充電する時、複数の出力ユニットが順に複数の逆方向走査信号を生成し、これにより、双方向走査を支援する。
【００１４】
さらに、本発明は複数の出力ユニットがコントロールノードを共用することにより、コントロールノードの充放電メカニズムと駆動モジュールの回路レイアウトを簡易化する。
【図面の簡単な説明】
【００１５】
【図１Ａ】本発明の実施例の表示装置のブロック図である。
【図１Ｂ】本発明の実施例の駆動モジュールのブロック図である。
【図２Ａ】本発明の実施例の駆動信号の順方向走査における波形図である。
【図２Ｂ】本発明の実施例の駆動信号の逆方向走査における波形図である。
【図３】本発明の実施例の双方向走査駆動回路のブロック図である。
【発明を実施するための形態】
【００１６】
本発明は一種のコモンコントロールノードを具えた駆動モジュールを提供し、それは複数のクロック信号を受け取り並びに第１入力電圧と第２入力電圧を受け取り、駆動モジュールは複数の走査信号を生成し並びに順に表示パネルに出力する。
【００１７】
駆動モジュールは複数の出力ユニット、順方向入力ユニットと逆方向入力ユニットを包含する。そのうち、これら出力ユニットは併せられて一つのコントロールノードに接続され、順方向入力ユニットと逆方向入力ユニットは、コントロールノードを介してこれら出力ユニットに接続される。
【００１８】
順方向入力ユニットは、第１入力電圧とｎ−１クラス以上の任意の一つの該駆動モジュールの前順方向走査信号を受け取り、順方向入力ユニットは第１入力電圧と前順方向走査信号に依りコントロールノードに対して充放電を行う。
【００１９】
逆方向入力ユニットは、第２入力電圧とｎ＋１クラス以上の任意の一つの該駆動モジュールの後逆方向走査信号を受け取り、逆方向入力ユニットは第２入力電圧と後逆方向走査信号に依りコントロールノードに対して充放電を行う。
【００２０】
これら出力ユニットはこれらクロック信号を受け取り、順方向入力ユニットが該コントロールノードに対して充電を行う時、順に複数の順方向走査信号を生成し並びに順に出力し、並びに逆方向入力ユニットがコントロールノードに対して充電を行う時は、順に複数の逆方向走査信号を生成し並びに順に出力する。
【実施例１】
【００２１】
図１Ａを参照されたい。それは本発明の実施例の表示装置のブロック図である。図示されるように、表示装置１０は双方向走査駆動回路２０、データ駆動回路３０及び表示パネル４０を包含する。
【００２２】
双方向走査駆動回路２０は複数の駆動モジュール２２を包含し、本実施例の駆動モジュール２２は、第１駆動モジュール２２ａ、第２駆動モジュール２２ｂ、第３駆動モジュール２２ｃ、及び順に第１９８駆動モジュール２２ｘ、第１９９駆動モジュール２２ｙ、第２００駆動モジュール２２ｚまで包含する。
【００２３】
本実施例の表示装置１０は、８００本の走査線を以て例示しており、並びに各駆動モジュール２２がそれぞれ４個の走査信号を出力する場合を例としており、これにより、駆動モジュール２２の個数は２００個である。
【００２４】
表示パネル４０は複数の画素構造４０２を包含する。表示パネル４０上には複数の走査線ＧＬと複数のデータ線ＤＬが設けられている。双方向走査駆動回路２０のこれら駆動モジュール２２は、それぞれ４本の走査線ＧＬを介して一部のこれら画素構造４０２に接続されているが、本発明はこれに限定されるわけではない。駆動モジュール２２は使用の必要に応じて走査線ＧＬの接続数量を増加でき、且つ本発明の各駆動モジュール２２は最少で３本の走査線ＧＬに接続するものとされ得る。
【００２５】
データ駆動回路３０はこれらデータ線ＤＬを介してこれら画素構造４０２に接続されている。表示装置１０はこれら駆動モジュール２２により順に複数の走査信号を、それに接続されたこれら画素構造４０２に向けて出力し、それによりこれら画素構造４０２を駆動してデータ駆動回路３０が出力したデータ信号を受け取らせる。
【００２６】
本発明の表示装置１０は双方向走査を支援し、すなわち、双方向走査駆動回路２０が出力する走査信号の順序が、順方向走査方向に依り、これら駆動モジュール２２に上から下に順に走査信号を出力させる。たとえば、第１駆動モジュール２２ａから第２００駆動モジュール２２ｚまでが順に走査信号を生成し、また、逆方向走査方向に依り、これら駆動モジュール２２は下から上に、順に走査信号を出力でき、たとえば、第２００駆動モジュール２２ｚから第１駆動モジュール２２ａまでが順に走査信号を出力できる。
【００２７】
図１Ｂも併せて参照されたい。それは、本発明の実施例の駆動モジュールのブロック図である。図示されるように、本発明の駆動モジュール２２は駆動回路、たとえば、双方向走査駆動回路に応用される。
【００２８】
駆動モジュール２２は、順方向入力ユニット２２１、逆方向入力ユニット２２２及び複数の出力ユニット２２３を包含する。本実施例は４個の出力ユニット２２３を例としており、すなわち、第１出力ユニット２２３ａ、第２出力ユニット２２３ｂ、第３出力ユニット２２３ｃと第４出力ユニット２２３ｄである。
【００２９】
このほか、駆動モジュール２２はさらに雑音除去ユニット２２４と複数の出力コンデンサ２３０を包含する。そのうち、本実施例は４つの出力コンデンサ２３０を例としており、すなわち、第１出力コンデンサ２３０ａ、第２出力コンデンサ２３０ｂ、第３出力コンデンサ２３０ｃ、第４出力コンデンサ２３０ｄであり、且つ雑音除去ユニット２２４は、第１トランジスタ２２５、第２トランジスタ２２６、及びコントロールコンデンサ２３１を包含する。
【００３０】
該コントロールノードＡｎは第１出力ユニット２２３ａの第１端、第２出力ユニット２２３ｂの第１端、第３出力ユニット２２３ｃの第１端及び第４出力ユニット２２３ｄの第１端に接続される。順方向入力ユニット２２１の第１端はｎ−１クラス以上の任意の駆動ユニットの前出力端ＯＵＴ ３（ｎ−１）に接続され、たとえば、図１Ａに示されるように、第２００駆動モジュール２２ｚの順方向入力ユニットは第１９９駆動モジュール２２ｙの第３出力端に接続される。
【００３１】
順方向入力ユニット２２１の第２端は第１入力電圧Ｖｄｄ ｆを受け取り、逆方向入力ユニット２２２の第１端はｎ＋１クラス以上の任意の駆動モジュールの後出力端ＯＵＴ ２（ｎ＋１）に接続される。たとえば、図１Ａに示されるように、第１駆動モジュール２２ａの逆方向入力ユニットは第２駆動モジュール２２ｂの第２出力端に接続される。
【００３２】
逆方向入力ユニット２２２の第２端は第２入力電圧Ｖｄｄ ｒを受け取り、且つ順方向入力ユニット２２１の第３端と逆方向入力ユニット２２２の第３端はそれぞれコントロールノードＡｎに接続される。
【００３３】
第１出力ユニット２２３ａの第２端は第１クロック信号ＣＬＫ１を受け取り、第１出力ユニット２２３ａの第３端は第１出力端ＯＵＴ １（ｎ）に接続され、第２出力ユニット２２３ｂの第２端は第２クロック信号ＣＬＫ２を受け取り、第２出力ユニット２２３ｂの第３端は第２出力端ＯＵＴ ２（ｎ）に接続され、第３出力ユニット２２３ｃの第２端は第３クロック信号ＣＬＫ３を受け取り、第３出力ユニット２２３ｃの第３端は第３出力端ＯＵＴ ３（ｎ）に接続され、第４出力ユニット２２３ｄの第２端は第４クロック信号ＣＬＫ４を受け取り、第４出力ユニット２２３ｄの第３端は第４出力端ＯＵＴ ４（ｎ）に接続される。
【００３４】
第１出力コンデンサ２３０ａはコントロールノードＡｎと第１出力端ＯＵＴ １（ｎ）の間に接続され、すなわち、第１出力コンデンサ２３０ａの第１端はコントロールノードＡｎに接続され、第１出力コンデンサ２３０ａの第２端は第１出力端ＯＵＴ １（ｎ）に接続される。第２出力コンデンサ２３０ｂはコントロールノードＡｎと第２出力端ＯＵＴ ２（ｎ）の間に接続され、すなわち、第２出力コンデンサ２３０ｂの第１端はコントロールノードＡｎに接続され、第２出力コンデンサ２３０ｂの第２端は第２出力端ＯＵＴ ２（ｎ）に接続される。第３出力コンデンサ２３０ｃはコントロールノードＡｎと第３出力端ＯＵＴ ３（ｎ）の間に接続され、すなわち、第３出力コンデンサ２３０ｃの第１端はコントロールノードＡｎに接続され、第３出力コンデンサ２３０ｃの第２端は第３出力端ＯＵＴ ３（ｎ）に接続される。第４出力コンデンサ２３０ｄはコントロールノードＡｎと第４出力端ＯＵＴ ４（ｎ）の間に接続され、すなわち、第４出力コンデンサ２３０ｄの第１端はコントロールノードＡｎに接続され、第４出力コンデンサ２３０ｄの第２端は第４出力端ＯＵＴ ４（ｎ）に接続される。
【００３５】
雑音除去ユニット２２４はコントロールノードＡｎに接続され、これにより、雑音除去ユニット２２４は順方向入力ユニット２２１、該逆方向入力ユニット２２２及び該出力ユニット２２３に接続される。且つ雑音除去ユニット２２４はまた、第１クロック信号ＣＬＫ１を受け取る。
【００３６】
そのうち、コントロールコンデンサ２３１は第１クロック信号ＣＬＫ１を受け取り並びに第１トランジスタ２２５と第２トランジスタ２２６に接続される。第１トランジスタ２２５と第２トランジスタ２２６はそれぞれコントロールノードＡｎ及び参考電位Ｖｓｓに接続される。
【００３７】
そのうち、第１トランジスタ２２５の第１端はコントロールノードＡｎに接続され、第１トランジスタ２２５の第２端はコントロールコンデンサ２３１に接続され、第１トランジスタ２２５の第３端は参考電位Ｖｓｓに接続される。第２トランジスタ２２６の第１端はコントロールコンデンサ２３１と第１トランジスタ２２５の第２端の間に接続され、第２トランジスタ２２６の第２端はコントロールノードＡｎに接続され、第２トランジスタ２２６の第３端は参考電位Ｖｓｓに接続される。
【００３８】
順方向入力ユニット２２１は前出力端ＯＵＴ ３（ｎ−１）を介して前順方向走査信号を受け取り、それにより、第１入力電圧Ｖｄｄ ｆと前順方向走査信号に基づき、コントロールノードＡｎに対して充放電を行ない、且つ順方向入力ユニット２２１が第１入力電圧Ｖｄｄ ｆと前順方向走査信号に基づき、該コントロールノードＡｎに対して充電を行う時、これら出力ユニット２２３ａ、２２３ｂ、２２３ｃと２２３ｄは、それぞれ受信した第１クロック信号ＣＬＫ１、第２クロック信号ＣＬＫ２、第３クロック信号ＣＬＫ３と第４クロック信号ＣＬＫ４に基づき、順に複数の順方向走査信号を、これら出力端ＯＵＴ １（ｎ）、ＯＵＴ ２（ｎ）、ＯＵＴ ３（ｎ）、ＯＵＴ ４（ｎ）に向けて出力する。
【００３９】
該順方向入力ユニット２２１が該コントロールノードＡｎに対して充電してこれら出力ユニット２２３に該順方向走査信号を出力させる時、該逆方向入力ユニット２２２はこれら出力ユニット２２３ａ、２２３ｂ、２２３ｃと２２３ｄがこれら順方向走査信号を生成して所定時間たった後に、該コントロールノードＡｎに対して放電し、特に、該逆方向入力ユニット２２２はこれら出力ユニット２２３ａ、２２３ｂ、２２３ｃと２２３ｄがこれら順方向走査信号を生成した後に、一つのクロックサイクル時間（ｃｌｏｃｋ  ｃｙｃｌｅ  ｔｉｍｅ）たつと、該コントロールノードＡｎに対して放電を実行し、これにより、該コントロールノードＡｎの電位を引き下げる。
【００４０】
たとえば、図２Ａに示されるように、これら出力ユニット２２３ａ、２２３ｂ、２２３ｃと２２３ｄはＴ２からＴ５クロックサイクル時間に、順に順方向走査信号を生成し、並びにＴ７クロックサイクル時間に放電する。このようにして駆動回路の順方向走査モードを動作させ、たとえば、図１Ａに示されるように、第１駆動モジュール２２ａから第２００駆動モジュール２２ｚまでが順に複数の走査信号をこれら走査線ＧＬに向けて生成し、これによりこれら画素構造４０２を順方向走査する。
【００４１】
逆方向入力ユニット２２２は第２入力電圧Ｖｄｄ ｒと後逆方向走査信号に基づき、コントロールノードＡｎに対して充放電を行う。そのうち、逆方向入力ユニット２２２は、第２入力電圧Ｖｄｄ ｒと後逆方向走査信号に基づき、該コントロールノードＡｎに対して充電し、これら出力ユニット２２３ａ、２２３ｂ、２２３ｃと２２３ｄは複数の逆方向走査信号を、これら出力端ＯＵＴ １（ｎ）、ＯＵＴ ２（ｎ）、ＯＵＴ ３（ｎ）、ＯＵＴ ４（ｎ）に向けて出力する。
【００４２】
該逆方向入力ユニット２２２が該コントロールノードＡｎに対して充電して、これら出力ユニット２２３ａ、２２３ｂ、２２３ｃと２２３ｄにこれら逆方向走査信号を出力させる時、該順方向入力ユニット２２１はこれら出力ユニット２２３ａ、２２３ｂ、２２３ｃと２２３ｄがこれら逆方向走査信号を生成して所定時間たった後に、該コントロールノードＡｎに対して放電し、特に、該順方向入力ユニット２２１はこれら出力ユニット２２３ａ、２２３ｂ、２２３ｃと２２３ｄがこれら逆方向走査信号を生成した後に、一つのクロックサイクル時間たつと、該コントロールノードＡｎに対して放電を実行する。
【００４３】
たとえば、図２Ｂに示されるように、これら出力ユニット２２３ｄ、２２３ｃ、２２３ｂと２２３ａはＴ２からＴ５クロックサイクル時間に、順に逆方向走査信号を生成し、並びにＴ７クロックサイクル時間に放電する。このようにして駆動回路の逆方向走査モードを動作させ、たとえば、図１Ａに示されるように、第２００駆動モジュール２２ｚから第１駆動モジュール２２ａまでが順に複数の走査信号をこれら走査線ＧＬに向けて生成し、これによりこれら画素構造４０２を逆方向走査する。
【００４４】
このほか、再び図１Ｂを参照されたい。雑音除去ユニット２２４は、コントロールノードＡｎの雑音をフィルタリング除去し、そのうち、コントロールコンデンサ２３１は該第１クロック信号ＣＬＫ１に基づき、コントロール準位Ｂｎを生成し、第１トランジスタ２２５はコントロールノードＡｎの電位に基づき、コントロール準位Ｂｎが参考電位Ｖｓｓまで引き下げられているかをフィルタリングし、これにより、第２トランジスタ２２６を制御してコントロールノードＡｎの雑音を除去する。
【００４５】
図１Ｂ、図２Ａ及び図２Ｂを併せて参照されたい。それは本発明の実施例の駆動信号の、順方向走査と逆方向走査の波形図である。図２Ａは、駆動回路が順方向走査モードで動作する時の波形図である。駆動モジュール２２は順方向走査モードにある時、順方向入力ユニット２２１はコントロールノードＡｎに対して充電を行うのに用いられ、逆方向入力ユニット２２２は順方向走査モードでは、これら出力ユニット２２３ａ、２２３ｂ、２２３ｃと２２３ｄが順方向走査信号を生成した後に一つのクロックサイクル時間たった時に、コントロールノードＡｎに対して放電を実行し、これにより、第１入力電圧Ｖｄｄ ｆを高準位（Ｖｄｄ）となし、第２入力電圧Ｖｄｄ ｒを低準位となす。本実施例では、第２入力電圧Ｖｄｄ ｒが参考電位Ｖｓｓまで引き下げられる。
【００４６】
また、図１Ｂと図２Ａを併せて参照されたい。Ｔ１クロックサイクル時間の実行時、順方向入力ユニット２２１は前出力端ＯＵＴ ３（ｎ−１）の第４走査信号に基づいて導通し、コントロールノードＡｎに対して充電し、同時に、これら出力端ＯＵＴ １（ｎ）、ＯＵＴ ２（ｎ）、ＯＵＴ ３（ｎ）、ＯＵＴ ４（ｎ）は低電位となる。
【００４７】
Ｔ２クロックサイクル時間の実行時、コントロールノードＡｎはフローティングポイント（ｆｌｏａｔｉｎｇ  ｐｏｉｎｔ）となり、これにより、コントロールノードＡｎはそれ以上、順方向入力ユニット２２１による充電を受けず、同時に、コントロールノードＡｎの高電位に基づき、出力ユニット２２３に、第１クロック信号ＣＬＫ１を受け取らせ、並びに第１クロック信号ＣＬＫ１の電圧を、第１出力端ＯＵＴ １（ｎ）に伝送し、並びに第１出力コンデンサ２３０ａを介してコントロールノードＡｎの電位を引き上げ、第１出力ユニット２２３ａに、第１出力端ＯＵＴ １（ｎ）に対して快速充電させる。
【００４８】
Ｔ３クロックサイクル時間の実行時、コントロールノードＡｎはフローティングポイントとされ、コントロールノードＡｎの高電位に基づき、第２出力ユニット２２３ｂに第２クロック信号ＣＬＫ２を受け取らせ、並びに第２クロック信号ＣＬＫ２の電圧を第２出力端ＯＵＴ ２（ｎ）に伝送し、並びに第２出力コンデンサ２３０ｂを介してコントロールノードＡｎの電位を引き上げ、第２出力ユニット２２３ｂに第２出力端ＯＵＴ ２（ｎ）に対して快速充電させる。このほか、第１出力端ＯＵＴ １（ｎ）の電位は、第１出力端ＯＵＴ １（ｎ）より放電されて低電位となり、すなわちＶｓｓ電位となる。
【００４９】
Ｔ４クロックサイクル時間の実行時、コントロールノードＡｎはフローティングポイントとされ、コントロールノードＡｎの高電位に基づき、第３出力ユニット２２３ｃに第３クロック信号ＣＬＫ３を受け取らせ、並びに第３クロック信号ＣＬＫ３の電圧を第３出力端ＯＵＴ ３（ｎ）に伝送し、並びに第３出力コンデンサ２３０ｃを介してコントロールノードＡｎの電位を引き上げ、第３出力ユニット２２３ｃに第３出力端ＯＵＴ ３（ｎ）に対して快速充電させる。このほか、第２出力端ＯＵＴ ２（ｎ）の電位は、第２出力端ＯＵＴ ２（ｎ）より放電されて低電位となる。
【００５０】
Ｔ５クロックサイクル時間の実行時、コントロールノードＡｎはフローティングポイントとされ、コントロールノードＡｎの高電位に基づき、第４出力ユニット２２３ｄに第４クロック信号ＣＬＫ４を受け取らせ、並びに第４クロック信号ＣＬＫ４の電圧を第４出力端ＯＵＴ ４（ｎ）に伝送し、並びに第４出力コンデンサ２３０ｄを介してコントロールノードＡｎの電位を引き上げ、第４出力ユニット２２３ｄに第４出力端ＯＵＴ ４（ｎ）に対して快速充電させる。このほか、第３出力端ＯＵＴ ３（ｎ）の電位は、第３出力端ＯＵＴ ３（ｎ）より放電されて低電位となる。
【００５１】
Ｔ６クロックサイクル時間の実行時、コントロールノードＡｎはフローティングポイントとされ、第４出力端ＯＵＴ ４（ｎ）は放電されて低電位とされる。
【００５２】
Ｔ７クロックサイクル時間の実行時、コントロールノードＡｎは逆方向入力ユニット２２２を介して放電されて低電位となり、その後、Ｔ８クロックサイクル時間の実行時、コントロールノードＡｎは出力ユニット２２３の寄生容量に基づき雑音を生成するが、ただし、同時に雑音除去ユニット２２４の第２トランジスタ２２６が導通し、コントロールノードＡｎを低電位に安定させ、寄生容量の雑音を除去する。
【００５３】
図１Ｂと図２Ｂを併せて参照されたい。そのうち図２Ｂは該駆動回路が逆方向走査モードで動作する時に現出する波形図である。図２Ｂは図２Ａと反対の状況であり、ゆえに、逆方向入力ユニット２２２がコントロールノードＡｎに対して充電を行うように変わり、順方向入力ユニット２２１は、これら出力ユニット２２３ａ、２２３ｂ、２２３ｃと２２３ｄがこれら逆方向走査信号を生成して一つのクロックサイクル時間たつと、該出力ユニット２２３の該コントロールノードＡｎに対して放電を実行し、これにより、第２入力電圧Ｖｄｄ ｒは高準位（Ｖｄｄ）となり、第１入力電圧Ｖｄｄ ｆは低準位となる。本実施例では第１入力電圧Ｖｄｄ ｆは参考電位Ｖｓｓに引き下げられる。
【００５４】
再び図２Ｂを参照されたい。駆動モジュール２２はＴ１からＴ７クロックサイクル時間において逆方向入力ユニット２２２によるコントロールノードＡｎに対する充電に改められ、順方向入力ユニット２２１によりコントロールノードＡｎの放電がなされ、その他の走査方式は、図２Ａの実施例に記述されたものと同じである。
【００５５】
以上から分かるように、本発明の駆動モジュール２２は順方向入力ユニット２２１と逆方向入力ユニット２２２によりそれぞれコントロールノードＡｎに対して充電を行ない、これによりこれら出力ユニット２２３ａ、２２３ｂ、２２３ｃと２２３ｄを駆動して異なる走査モードの走査信号を提供し、且つ本発明の駆動モジュール２２は、任意の走査モードにあって、わずかに順方向入力ユニット２２１と逆方向入力ユニット２２２を交互に切り換えるだけでコントロールノードＡｎに対して充放電し、これにより、回路を簡易化する。
【００５６】
さらに、雑音除去ユニット２２４は、コントロールコンデンサ２３１を介してクロック信号ＣＬＫ１を受け取り、これにより、クロック信号の電圧、電流が、直接参考電位Ｖｓｓに流通するのを防止し、これにより、不必要な直流消耗を減らす。
【００５７】
また、駆動モジュールは少なくとも三つのクロック信号に基づき動作し、ゆえに、出力ユニット２２３と雑音除去ユニット２２４はクロック信号に基づき持続導通／停止し、これにより、出力ユニット２２３と雑音除去ユニット２２４が非動作期間に不必要なパワー消耗を発生するのを防止する。
【００５８】
図３を参照されたい。それは本発明の実施例の双方向走査駆動回路のブロック図である。図示されるように、本発明の駆動回路５０は、複数の駆動モジュールを包含し、本実施例では、第ｎ−１駆動モジュール５２、第ｎ駆動モジュール５４、第ｎ＋１駆動モジュール５６を以て例とし、第ｎ−１駆動モジュール５２、第ｎ駆動モジュール５４、第ｎ＋１駆動モジュール５６の詳細な回路は、先の実施例で述べた駆動モジュール２２と同じである。
【００５９】
第ｎ−１駆動モジュール５２は本実施例では開始の駆動モジュールとされ、この実施例では存在しない第ｎ−２駆動モジュールを第ｎ−１駆動モジュール５２に電気的に接続可能であり、これにより、第ｎ−１駆動モジュール５２は入力信号ＩＮ１を受け取り、第ｎ−１駆動モジュール５２から第ｎ＋１駆動モジュール５６は、図１Ａと図１Ｂの第１駆動モジュール２２ａから第３駆動モジュール２２ｃの動作方式と同様であり、第ｎ−１駆動モジュール５２から第ｎ＋１駆動モジュール５６は、それぞれ第１クロック信号ＣＬＫ１から第４クロック信号ＣＬＫ４を受け取り、且つ第ｎ−１駆動モジュール５２、第ｎ駆動モジュール５４、第ｎ＋１駆動モジュール５６は、いずれも第１入力電圧Ｖｄｄ ｆと第２入力電圧Ｖｄｄ ｒに接続され、並びにいずれも参考電位Ｖｓｓに接続される。そのうち、参考電位Ｖｓｓは走査回路の低電位に相当し、たとえば、１Ｖ電位とされる。
【００６０】
そのうち、第ｎ−１駆動モジュール５２の出力する第１出力信号Ｏ１（ｎ−１）から第４出力信号Ｏ４（ｎ−１）、第ｎ駆動モジュール５４の出力する第１出力信号Ｏ１（ｎ）から第４出力信号Ｏ４（ｎ）、第ｎ＋１駆動モジュール５６の出力する第１出力信号Ｏ１（ｎ＋１）から第４出力信号Ｏ４（ｎ＋１）は、すなわち、画素構造４０２の走査信号とされる。
【００６１】
順方向走査開始時、第ｎ−１駆動モジュール５２は順に、第１出力信号Ｏ１（ｎ−１）から第４出力信号Ｏ４（ｎ−１）を画素構造４０２に出力し、すなわち、該第ｎ−１駆動モジュール５２はその第１走査信号から第４走査信号を画素構造４０２に出力し、同時に、該第ｎ−１駆動モジュール５２は、第３出力信号Ｏ１（ｎ−１）を第ｎ駆動モジュール５４に伝送し、すなわち、第ｎ−１駆動モジュール５２はその第３走査信号を第ｎ駆動モジュール５４に伝送する。
【００６２】
第ｎ駆動モジュール５４は第３出力信号Ｏ１（ｎ−１）を受け取ると、順に、第１出力信号Ｏ１（ｎ）から第４出力信号Ｏ４（ｎ）を画素構造４０２に出力し、すなわち第ｎ駆動モジュール５４はその第１走査信号から第４走査信号を画素構造４０２に出力し、且つ第ｎ駆動モジュール５４も同時に第３出力信号Ｏ３（ｎ）を、第ｎ＋１駆動モジュール５６に伝送し、すなわち、第ｎ駆動モジュール５４はその第３走査信号を第ｎ＋１駆動モジュール５６に出力する。
【００６３】
第ｎ＋１駆動モジュール５６は第３出力信号Ｏ３（ｎ）を受け取ると、第１出力信号Ｏ１（ｎ＋１）から第４出力信号Ｏ４（ｎ＋１）を順に画素構造４０２に出力し、すなわち、第ｎ＋１駆動モジュール５６はその第１走査信号から第４走査信号を画素構造４０２に出力し、同時に、第ｎ＋１駆動モジュール５６は第３出力信号Ｏ３（ｎ＋１）を第ｎ＋２駆動モジュール（図示せず）に伝送し、すなわち、第ｎ＋１駆動モジュール５６はその第３走査信号を第ｎ＋２駆動モジュールに出力する。
【００６４】
このほか、本実施例は、三つの駆動モジュールを例としているが、本発明はこれに限定されるわけではなく、本実施例はさらに３個より多くの駆動モジュールを設置して走査信号を提供して、順方向走査或いは逆方向走査を行うのに用いてもよい。
【００６５】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００６６】
１０  表示装置
２０  双方向走査駆動回路
２２  駆動モジュール
２２ａ  第１駆動モジュール
２２ｂ  第２駆動モジュール
２２ｃ  第３駆動モジュール
２２ｘ  第１９８駆動モジュール
２２ｙ  第１９９駆動モジュール
２２ｚ  第２００駆動モジュール
２２１  順方向入力ユニット
２２２  逆方向入力ユニット
２２３  出力ユニット
２２３ａ  第１出力ユニット
２２３ｂ  第２出力ユニット
２２３ｃ  第３出力ユニット
２２３ｄ  第４出力ユニット
２２４  雑音除去ユニット
２２５  第１トランジスタ
２２６  第２トランジスタ
２３０  出力コンデンサ
２３０ａ  第１出力コンデンサ
２３０ｂ  第２出力コンデンサ
２３０ｃ  第３出力コンデンサ
２３０ｄ  第４出力コンデンサ
２３１  コントロールコンデンサ
３０  データ駆動回路
４０  表示パネル
４０２  画素構造
５０  駆動回路
５２  第ｎ−１駆動モジュール
５４  第ｎ駆動モジュール
５６  第ｎ＋１駆動モジュール
Ａｎ  コントロールノード
ＣＬＫ１  第１クロック信号
ＣＬＫ２  第２クロック信号
ＣＬＫ３  第３クロック信号
ＣＬＫ４  第４クロック信号
ＯＵＴ １（ｎ）  第１出力端
ＯＵＴ ２（ｎ）  第２出力端
ＯＵＴ ３（ｎ）  第３出力端
ＯＵＴ ４（ｎ）  第４出力端
ＯＵＴ ３（ｎ−１）  前出力端
ＯＵＴ ２（ｎ＋１）  後出力端
Ｏ１（ｎ−１）  第１出力信号
Ｏ２（ｎ−１）  第２出力信号
Ｏ３（ｎ−１）  第３出力信号
Ｏ４（ｎ−１）  第４出力信号
Ｏ１（ｎ）  第１出力信号
Ｏ２（ｎ）  第２出力信号
Ｏ３（ｎ）  第３出力信号
Ｏ４（ｎ）  第４出力信号
Ｏ１（ｎ＋１）  第１出力信号
Ｏ２（ｎ＋１）  第２出力信号
Ｏ３（ｎ＋１）  第３出力信号
Ｏ４（ｎ＋１）  第４出力信号
Ｖｄｄ ｆ  第１入力電圧
Ｖｄｄ ｒ  第２入力電圧
Ｖｓｓ  参考電位
【図１Ａ】
2014137591.tif 000003
【図１Ｂ】
2014137591.tif 000004
【図２Ａ】
2014137591.tif 000005
【図２Ｂ】
2014137591.tif 000006
【図３】
2014137591.tif 000007